(57)【要約】【課題】従来に比ベランニングコストを低減するとともに良好な作業効率を達成する。【解決手段】新聞印刷用ブランケット胴１０ａは、ブランケット面が版胴２０ａの刷版面と接触した状態で印刷稼働回転し、刷版面のインキＩＮを、ブランケット面を介して被印刷体に印刷するものである。そして、この新聞印刷用ブランケット胴１０ａでは、版胴周面の軸方向に沿って開口して形成された刷版装着用溝２２ａの開口部と相対するブランケット装着用溝１２ａ、１２ａ´が周面部位に開口して形成されると共に、軸方向に沿って他の周面部位よりも軸線からの距離が小さな低位面がブランケット装着用溝１２ａ、１２ａ´の軸方向の延長線上に形成されている。【選択図】図２
2011042044.tif 000002
【特許請求の範囲】
【請求項１】
ブランケット面が版胴の刷版面と接触した状態で印刷稼働回転し、刷版面のインキを、ブランケット面を介して被印刷体に印刷する新聞印刷用ブランケット胴において、
前記版胴周面の軸方向に沿って開口して形成された刷版装着用溝の開口部と相対するブランケット装着用溝を周面部位に開口して形成すると共に、軸方向に沿って他の周面部位よりも軸線からの距離が小さな低位面を前記ブランケット装着用溝の軸方向の延長線上に形成したことを特徴とする新聞印刷用ブランケット胴。
【請求項２】
請求項１に記載の新聞印刷用ブランケット胴において、
前記低位面の幅寸法が、新聞の上側の余白の幅寸法と新聞の下側の余白の幅寸法の和以下であることを特徴とする新聞印刷用ブランケット胴。
【請求項３】
請求項１又は２に記載の新聞印刷用ブランケット胴において、
前記ブランケット装着用溝は、前記ブランケット胴の軸方向の長さの二分の一の長さに形成されていることを特徴とする新聞印刷用ブランケット胴。
【請求項４】
請求項１〜３のいずれか１項に記載の新聞印刷用ブランケット胴において、
前記ブランケット装着用溝は、前記ブランケット胴の軸方向の一端から他端に向かって開口する第１のブランケット装着用溝と、前記他端から前記一端に向かって開口する第２のブランケット装着用溝とを含み、
前記第１のブランケット装着用溝及び前記第２のブランケット装着用溝は、前記ブランケット胴の周面方向の位置を互いに１８０度ずらして形成されることを特徴とする新聞印刷用ブランケット胴。
【請求項５】
版胴の刷版面とブランケット胴のブランケット面が接触した状態で印刷稼働回転し、刷版面のインキを、ブランケット面を介して被印刷体に印刷する新聞印刷用オフセット輪転印刷機において、
ブランケット胴が、請求項１〜４のいずれか１項に記載した新聞印刷用ブランケット胴であるとともに、
版胴が、版胴本体周面の軸方向に沿って開口する刷版装着用溝が形成され、前記刷版装着用溝が前記版胴の軸方向の一端側から他端側に至るよう設けられた版胴であることを特徴とする新聞印刷用オフセット輪転印刷機。
【発明の詳細な説明】
【技術分野】
【０００１】
この発明は、オフセット輪転印刷機のブランケット胴、特に新聞印刷用ブランケット胴及びこの新聞印刷用ブランケット胴を備えた新聞印刷用オフセット輪転印刷機に関し、詳細には、印刷稼働回転の際に版胴周面の刷版装着用溝の開口部と相対する周面部位が、必ずしもブランケット装着用溝の開口部を有しない新聞印刷用ブランケット胴及びこのような新聞印刷用ブランケット胴を備えた新聞印刷用オフセット輪転印刷機に関する。
【背景技術】
【０００２】
矩形の刷版の平行な２辺側の両端部を当該２辺側に沿って折り曲げ、この折り曲げられた部位を版胴周面に版胴の軸線と平行に開口した溝に差入れて刷版を装着するようにしたオフセット輪転印刷機の印刷稼動では、版胴の回転とともに変位する刷版面にインキを供給する際に、刷版面に対するインキ供給ローラーの押付け圧によって、このインキ供給ローラーが、刷版の外周面が前記溝に沿って形成する凹みにその一方縁から落ち込み、次いで他方縁から刷版面に乗上げる動作を繰り返す。この刷版面への乗上げの際に、インキ供給ローラーは前記凹みの他方縁に沿って陵部を形成する刷版の折曲げ位置に衝撃的に接触し、刷版の折曲げ位置近傍の刷版面上にインキを残留させる。他方、ブランケットは、その平行な２辺側を、ブランケット胴の周面にブランケット胴の軸線と平行に開口した溝内に差入れられてブランケット胴に強く張った状態に装着され、印刷稼動の際に前記刷版面と接触しながらブランケット胴の回転に従って回転し、刷版面のインキをその表面に転移され、更に、このブランケット面に押付けられた、ブランケット胴の回転によって走行させられる被印刷体の表面に印刷する。
【０００３】
この印刷稼働の際には、例えば、新聞４ページを胴の軸方向に並べて印刷可能な、所謂ダブル幅新聞印刷用オフセット輪転印刷機においては、軸方向に新聞１ページ幅の４倍の長さを有するとともに、周面方向に新聞１ページの長さの２倍の長さを有する、新聞８ページの印刷が可能な、所謂４×２新聞印刷用オフセット輪転印刷機が通常使用されている。この所謂４×２新聞印刷用オフセット輪転印刷機は、図１５に示すように、版胴２０ｂとブランケット胴１０ｂは、それぞれの周面の軸線方向に沿って開口する刷版装着用溝２２ｂ及びブランケット装着用溝１２ｂの開口位置が両胴の接触位置で相対する回転位相となるように駆動回転されているので、刷版Ｐｂの折り曲げ位置近傍の刷版面上に残留するインキＩＮがブランケットＢの外周面に接触することがなく、このインキＩＮがブランケットＢの外周面を介して被印刷体Ｗの表面に印刷され、印刷品質を低下させることがなかった。
【０００４】
ところで、こうした４×２新聞印刷用オフセット輪転印刷機においては、図１０、図１１に示すように、ブランケット胴１０ｂは、新聞の２ページ×２ページの印刷が可能な大きさのブランケットＢを２枚装着可能な大きさを備えた胴本体１１ｂを有している。このブランケット胴１０ｂでは、ブランケットＢ、Ｂを強く張った状態で装着するのに十分な強度を、ブランケット胴１０ｂのブランケット装着用溝１２ｂ内に設けるブランケット装着機構（図示せず）に具備させる必要がある。そのため、ブランケット胴１０ｂのブランケット装着機構（図示せず）は、ブランケット胴本体１１ｂの軸方向長さにわたって一本状に設けず、その機構が設けられるブランケット装着用溝１２ｂとともに、ブランケット胴本体１１ｂの軸方向長さの二分の一の長さに形成し、周面方向の位置を例えば１８０度あるいは９０度（図示せず）ずらして、軸方向に沿って設けられていた。
【０００５】
また、版胴２０ｂは、図１２、図１３に示すように、新聞の２ページ×２ページ（幅×長さ）の大きさの刷版を２枚又は１ページ×２ページ（幅×長さ）の大きさの刷版を４枚装着可能な大きさを備えた胴本体２１ｂを有していた。そして、通常には、新聞の２ページ×２ページ（幅×長さ）の大きさの刷版が２枚胴本体２１ｂに装着されて、印刷稼働の際に版胴２０ｂの刷版装着用溝２２ｂの開口位置が、ブランケット胴１０ｂのブランケット装着用溝１２ｂの開口位置と相対する回転位相となるように設定されている。
【０００６】
このように設定された版胴２０ｂは、図１４乃至図１６に示すように、刷版Ｐｂの折り曲げ位置近傍の刷版面上に残留するインキＩＮがブランケットＢの外周面に接触しない関係が維持できるように、版胴２０ｂの刷版装着用溝２２ｂ内に設ける刷版装着機構（図示せず）も一本状に設けず、その機構が設けられる刷版装着用溝２２ｂとともに、版胴本体２１ｂの周面の軸方向長さの二分の一の長さに亘って刷版Ｐｂが装着可能な大きさにし、周面方向の位置を例えば１８０度あるいは９０度（図示せず）ずらして、軸方向に沿って設けられていた。
【０００７】
ところが、近年、前記４×２新聞印刷用オフセット輪転印刷機において、版胴装着機構がブランケット装着機構ほど強度を求められないことと工作機械の性能向上が相俟って、版胴における刷版装着のための溝の加工工数を減らすために、刷版装着のための刷版装着用溝２２ａを軸方向に一本状に形成した版胴２０ａを有するオフセット輪転印刷機が使用されるようになった。他方、耐刷性の向上した刷版の必要量を減らすため等の種々の理由により、図１９、図２０に示すように、版胴２０ｃの外周の周方向長さを新聞１ページ分の長さにした、所謂４×１新聞印刷用オフセット輪転印刷機が提供されるようになり、この版胴２０ｃにおける刷版装着のための刷版装着用溝２２ｃも軸方向に一本状に形成された。
【０００８】
このため、図１７、図１８及び図１９、図２０に示すように、前記印刷稼働の回転において、版胴の周面に開口する刷版装着用溝が、必ずしもブランケット胴の周面に開口する溝の開口位置と、両胴の接触位置で相対しないようになった。つまり、４×２新聞印刷用オフセット輪転印刷機においては図１７、図１８に示すように、刷版Ｐａの折曲げ位置近傍の刷版面上に残留するインキＩＮがブランケットＢの外周面に接触する場合が生じ、このインキＩＮがブランケットＢの面に転移し、ブランケットＢの外周面を介して被印刷体Ｗの表面に印刷され、印刷品質を低下させる不都合が生じるようになった。
【０００９】
また、４×１新聞印刷用オフセット輪転印刷機においては、図１９、図２０に示すように、前記刷版Ｐｃの折り曲げ位置近傍の刷版面上に残留するインキＩＮがブランケットＢの外周面に接触する揚合が生じ、このインキＩＮがブランケットＢの外周面に転移し、ブランケットＢの外周面を介して被印刷体Ｗの表面に印刷され、印刷品質を低下させる不都合が生じるようになった。
【００１０】
そこで、この不都合を防止するため、下記特許文献１に開示される技術が提案された。
【００１１】
この特許文献１には、オフセット印刷機、特に、ブランケット胴の外周面の周方向長さが単位印刷画像の長さの２倍である倍胴型オフセット印刷機での印刷において、ブランケット表面のうち版胴の溝部と接触しうる個所に、ブランケット表面と版胴の溝部とが接触するのを防止すべくブランケット胴の軸方向に沿った凹部を設けたブランケットであって、この凹部の表面にインキとの親和性が低いシリコーンゴム等からなるコーティング膜が形成されているブランケットが提案され、このブランケットを使用することによって、刷版の折り曲げ位置近傍の刷版面上に残留するインキがブランケット面に転移することを防止し、それによって、刷版の折り曲げ位置近傍の刷版面上に残留するインキが、ブランケット面を介して被印刷体の表面に印刷され、印刷品質を低下させることを抑制することが開示されている。
【先行技術文献】
【特許文献】
【００１２】
【特許文献１】特開２０００−６５４３号公報
【発明の概要】
【発明が解決しようとする課題】
【００１３】
しかしながら、前記特許文献１に記載されるブランケットは、基布層、圧縮層、印刷層用ゴム糊を積層し、この積層体を所定の圧力と温度で加熱加硫して通常のブランケットを得、次いで、このブランケットの所定位置の表面印刷層を必要最小限の大きさで除去して凹部形成し、更に、凹部の表面に、例えば液状シリコーンゴムを塗布した後これを加熱乾燥して、インキとの親和性が低いコーティング膜を形成して製造されるもので、通常のブランケットと比較するとコストが割高であり、ランニングコストが嵩むものであった。
【００１４】
また、前記特許文献１に記載されるブランケットは、印刷稼働の際に前記凹部が版胴周面の溝の開口位置と精密に相対する必要があり、ブランケット胴に装着するときに通常のブランケットを装着するとき以上の、溝の位置合わせのための注意深さと熟練が求められるものであり、作業効率が良くなかった。
【００１５】
したがって、よりランニングコストが低く、かつブランケットをブランケット胴に装着する作業の作業効率が良好なブランケット胴及びこのようなブランケット胴を備えた新聞印刷用オフセット輪転印刷機が求められていた。
【００１６】
この発明は前記課題を解決するためになされたもので、その目的は、刷版の折曲げ位置近傍の刷版面上に残留するインキが、ブランケット面を介して被印刷体の表面に印刷され、印刷品質を低下させることを抑制するにあたり、通常のブランケットを使用可能にすることにより、従来に比ベランニングコストを低減するとともに良好な作業効率を達成することにある。
【課題を解決するための手段】
【００１７】
本発明に係る新聞印刷用ブランケット胴は、ブランケット面が版胴の刷版面と接触した状態で印刷稼働回転し、刷版面のインキを、ブランケット面を介して被印刷体に印刷する新聞印刷用ブランケット胴において、前記版胴周面の軸方向に沿って開口して形成された刷版装着用溝の開口部と相対するブランケット装着用溝を周面部位に開口して形成すると共に、軸方向に沿って他の周面部位よりも軸線からの距離が小さな低位面を前記ブランケット装着用溝の軸方向の延長線上に形成したことを特徴とする。
【００１８】
また、本発明に係る新聞印刷用ブランケット胴は、前記低位面の幅寸法(軸線と直角方向の寸法)が、新聞の上側の余白の幅寸法と新聞の下側の余白の幅寸法の和以下であると好適である。
【００１９】
さらに、本発明に係る新聞印刷用ブランケット胴は、前記ブランケット装着用溝が、前記ブランケット胴の軸方向の長さの二分の一の長さに形成されていると好適である。
【００２０】
またさらに、本発明に係る新聞印刷用ブランケット胴は、前記ブランケット装着用溝が、前記ブランケット胴の軸方向の一端から他端に向かって開口する第１のブランケット装着用溝と、前記他端から前記一端に向かって開口する第２のブランケット装着用溝とを含み、前記第１のブランケット装着用溝及び前記第２のブランケット装着用溝は、ブランケット胴の周面方向の位置を互いに１８０度ずらして形成されると好適である。
【００２１】
本発明に係る新聞印刷用オフセット輪転印刷機は、版胴の刷版面とブランケット胴のブランケット面が接触した状態で印刷稼働回転し、刷版面のインキを、ブランケット面を介して被印刷体に印刷する新聞印刷用オフセット輪転印刷機において、ブランケット胴が、前記版胴周面の軸方向に沿って開口して形成された刷版装着用溝の開口部と相対するブランケット装着用溝を周面部位に開口して形成すると共に、軸方向に沿って他の周面部位よりも軸線からの距離が小さな低位面を前記ブランケット装着用溝の軸方向の延長線上に形成した新聞印刷用ブランケット胴であるとともに、版胴が、版胴本体周面の軸線方向に沿って開口する刷版装着用溝が形成され、前記刷版装着用溝が前記版胴の軸線方向の一端側から他端側に至るよう設けられた版胴であることを特徴とする。
【発明の効果】
【００２２】
この発明によれば、通常のブランケットを使用しながらも、刷版の折曲げ位置近傍の刷版面上に残留するインキがブランケット面に接触するときのブランケット面と版面の接触圧を小さくすることができ、ブランケット面へのインキの転移を抑制可能である。また、このブランケット面が被印刷体と接触するときにも印圧を小さくすることができ、ブランケット面から被印刷体へのインキの転移を抑制可能である。したがって、刷版の折曲げ位置近傍の刷版面上に残留するインキが、ブランケット面を介して被印刷体の表面に印刷され、印刷品質を低下させる不都合を抑制するにあたり、従来に比べ小さなランニングコスト、かつ作業効率が良好な状態でこれを行うことが可能である。
【図面の簡単な説明】
【００２３】
【図１】ダブル幅新聞印刷用オフセット輪転印刷機における本実施形態に係る新聞印刷用ブランケット胴のブランケット胴本体部分のみの外形を示す概略斜視図である。
【図２】図１に示す新聞印刷用ブランケット胴のブランケット胴本体部分にブランケットを装着した状態を示す概略斜視図である。
【図３】刷版装着機構が設けられる刷版装着用溝が、軸方向に一本状に形成された版胴の版胴本体部分のみの外形を示す概略斜視図である。
【図４】図３に示す版胴の版胴本体部分に刷版を装着した状態を示す概略斜視図である。
【図５】図２に示すブランケットと、図４に示す刷版とを接触させた状態を示す概略斜視図である。
【図６】図５に示す新聞印刷用ブランケット胴と版胴からなる二組の印刷胴対の手前側における断面図である。
【図７】図５に示す新聞印刷用ブランケット胴と版胴からなる二組の印刷胴対の奥側における断面図である。
【図８】図２に示す新聞印刷用ブランケット胴と外周の周方向長さが新聞１ページ分の長さの刷版を装着した版胴からなる二組の印刷胴対の軸方向一方側における断面図である。
【図９】図２に示す新聞印刷用ブランケット胴と外周の周方向長さが新聞１ページ分の長さの刷版を装着した版胴からなる二組の印刷胴対の軸方向他方側における断面図である。
【図１０】ダブル幅新聞印刷用オフセット輪転印刷機における従来のブランケット胴のブランケット胴本体部分のみの外形を示す概略斜視図である。
【図１１】図１０に示すブランケット胴の胴本体部分にブランケットを装着した状態を示す概略斜視図である。
【図１２】刷版装着用溝が、軸方向に２分割されかつ周方向に１８０度ずれた状態に形成された版胴の版胴本体部分のみの外形を示す概略斜視図である。
【図１３】図１２に示す版胴の版胴本体部分に刷版を装着した状態を示す概略斜視図である。
【図１４】図１１に示すブランケットと、図１３に示す、刷版を接触させた状態を示す概略斜視図である。
【図１５】図１４に示すブランケット胴と版胴からなる二組の印刷胴対の手前側における断面図である。
【図１６】図１４に示すブランケット胴と版胴からなる二組の印刷胴対の奥側における断面図である。
【図１７】図１１に示すブランケット胴と、図１３に示す版胴からなる二組の印刷胴対の軸方向一方側における断面図である。
【図１８】図１１に示すブランケット胴と、図１３に示す版胴からなる二組の印刷胴対の軸方向他方側における断面図である。
【図１９】図１１に示すブランケット胴と、外周面の周方向長さが新聞１ページ分の長さの刷版を装着するだけの長さである版胴からなる二組の印刷胴対の軸方向一方側における断面図である。
【図２０】図１１に示すブランケット胴と、外周面の周方面長さが新聞１ページ分の長さの刷版を装着するだけの長さである版胴からなる二組の印刷胴対の軸方向他方側における断面図である。
【発明を実施するための形態】
【００２４】
本発明の実施形態について図面を参照して説明する。なお、以下の実施形態は、各請求項に係る発明を限定するものではなく、また、実施形態の中で説明されている特徴の組み合わせの全てが発明の解決手段に必須であるとは限らない。
【００２５】
図１は、ダブル幅新聞印刷用オフセット輪転印刷機における本実施形態に係る新聞印刷用ブランケット胴１０ａの、端部に設けられた軸等を除いたブランケット胴本体１１ａ部分のみの外形を示す概略斜視図であり、ブランケット装着機構（図示せず）が設けられるブランケット装着用溝１２ａ、１２ａ´及び軸線と平行であって他の周面部位よりも軸線からの距離が小さな面（以下、低位面とする）１５を、わかりやすいように、ブランケット胴本体１１ａの径に対し実際より大きく表示した概略斜視図である。
【００２６】
新聞印刷用ブランケット胴１０ａは、そのブランケット胴本体１１aに、ブランケット装着用溝１２ａ、１２ａ´及び低位面１５を備えている。
【００２７】
ブランケット装着用溝１２ａ、１２ａ´は、その溝内にブランケット装着機構（図示せず）を装備する溝で、ブランケット胴本体１１ａの軸方向の一端から他端に向かって開口する第１のブランケット装着用溝１２ａと、ブランケット胴本体１１ａの軸方向の他端から一端に向かって開口する第２のブランケット装着用溝１２ａ´とからなっている。また、第１のブランケット装着用溝１２ａ及び第２のブランケット装着用溝１２ａ´は、互いに周面方向の位置を例えば１８０度ずらして、少なくとも中央まで軸方向に平行に設けられる。また、ブランケット装着用溝１２ａ、１２ａ´は、それぞれ、ブランケット胴本体１１ａの外周面に軸方向に平行な、ブランケット胴本体１１ａの軸方向長さの二分の一の長さの開口を有している。
【００２８】
低位面１５は、前記ブランケット装着用溝１２ａ、１２ａ´ごとに、その開口の中央側端部から、当該ブランケット装着用溝１２ａ、１２ａ´の延長方向に、ブランケット胴本体１１ａの端側部に向かって軸方向に平行に、ブランケット胴本体１１ａの軸方向長さの二分の一の長さに設けられる。そして、この低位面１５の幅寸法（軸線と直角方向の寸法）は、印刷される新聞の画線領域において印圧不足が生じないように、印刷される新聞の上側の額縁状の余白の幅寸法と下側の額縁状の余白の幅寸法の和以下に設けられる。
【００２９】
また、この幅方向（軸線と直角方向）の中央は、印刷稼働の際に、後に記載する版胴２０ａの刷版装着用溝２２ａの他方縁、つまり、印刷稼働において、版胴２０ａに装着された刷版Ｐａの外周面が前記刷版装着用溝２２ａに沿って形成する凹みに落ち込んだインキ供給ローラーが、前記凹みから刷版面に乗上げる側の縁又はその縁に近接する部位と対向するように、前記ブランケット装着用溝１２ａ、１２ａ´の幅方向中央よりも、ブランケット胴回転方向における下流側にずらして設けられる。
【００３０】
なお、低位面１５は、図示のようにブランケット胴本体１１ａの外周面の一部を除いた平面に限定されるものではなく、ブランケット胴本体１１ａの軸線と平行な曲面であって良く、これらの低位面１５にあっては、ブランケット胴本体１１ａの外周面と低位面１５が、曲面によって滑らかに連続するよう設けられて良い。また、浅溝状に外周面の一部が掘りさげられて設けられても良い。
【００３１】
以上記載の本実施形態に係るブランケット胴本体１１ａを有する新聞印刷用ブランケット胴１０ａには、図２に２点鎖線で示されるようにブランケット胴本体１１ａの軸方向長さの二分の一の幅を有するブランケットＢ、Ｂが装着される。すなわち、各ブランケットＢ、Ｂは、それぞれ、その長さ方向両端の平行な２辺側が前記開口からブランケット装着用溝１２ａ、１２ａ´内に差入れられ、ブランケット装着用溝１２ａ、１２ａ´内に装備されたブランケット装着機構（図示せず）によって溝内に引き込まれて、新聞印刷用ブランケット胴１０ａに均等に緊張した状態に装着される。
【００３２】
図３は、本実施形態に係る新聞印刷用ブランケット胴を備えた新聞印刷用オフセット輪転印刷機であるダブル幅新聞印刷用オフセット輪転印刷機における版胴２０ａ、つまり、刷版装着機構（図示せず）が設けられる刷版装着用溝２２ａが軸方向に一本状に形成された版胴２０ａの、端部に設けられた軸等を除いた版胴本体２１ａのみの外形を示す概略斜視図であり、刷版装着用溝２２ａを、わかりやすいように、版胴径に対し実際より大きく表示した概略斜視図である。
【００３３】
版胴２０ａは、その版胴本体２１ａに、軸方向に沿った刷版装着用溝２２ａを備えている。
【００３４】
刷版装着用溝２２ａは、刷版装着機構（図示せず）を装備する溝で、版胴本体２１ａの一端側から他端側まで軸方向に平行に、版胴本体２１ａの軸方向長さにわたって設けられる。また、刷版装着用溝２２ａは、版胴本体２１ａの外周面に軸方向に平行に、版胴本体２１ａの軸方向長さにわたる開口を有している。
【００３５】
以上記載の形態の版胴本体２１ａを有する版胴２０ａには、図４に２点鎖線で示されるように版胴本体２１ａの軸方向長さの二分の一の幅を有する刷版Ｐａ、Ｐａが装着される。すなわち、各刷版Ｐａ、Ｐａは、それぞれ、その長さ方向両端の平行な２辺側が、予め定められた形状に折り曲げられて前記開口から刷版装着用溝２２ａ内に差入れられ、例えば、他端側が前記開口の他側縁に引っ掛けられるとともに、一端側が刷版装着用溝２２ａ内に装備された刷版装着機構（図示せず）によって溝内に引き込まれて、版胴２０ａに均等に緊張した状態に装着される。
【００３６】
本実施形態に係る新聞印刷用ブランケット胴を備えた新聞印刷用オフセット輪転印刷機（図示せず）は、図５乃至図７に示すように、図２に示すブランケットＢ、Ｂが装着された新聞印刷用ブランケット胴１０ａと図４に示す刷版Ｐａ、Ｐａが装着された版胴２０ａとを、一組の印刷胴対として組み合わせ、印刷稼働時に、二組の印刷胴対が、それぞれの新聞印刷用ブランケット胴１０ａに装着されたブランケットＢの外周面を、例えば連続紙である被印刷体Ｗを介して、互いに押付けられて接触させられ、互いに周面の接触位置が被印刷体Ｗを走行させる方向に変位して回転するように設けられる。
【００３７】
そして、両新聞印刷用ブランケット胴１０ａ、１０ａは、この印刷稼動回転において、ブランケット装着用溝１２ａ、１２ａ´の開口及びこの開口に連続する低位面１５が設けられた部位が、被印刷体Ｗを介して互いに相対する関係で配される。また、各印刷胴対は、この印刷稼動回転において、新聞印刷用ブランケット胴１０ａに装着されたブランケットＢの外周面と版胴２０ａに装著された刷版Ｐａの版面が接触して互いに接触周面が同一方向に変位して回転するとともに、新聞印刷用ブランケット胴１０ａの一方のブランケット装着用溝１２ａ、１２ａ´の開口及びこの開口に連続する低位面１５が設けられた部位と版胴２０ａの刷版装着用溝２２ａの開口が設けられた部位とが相対する関係で配される。
【００３８】
図６は、図５に示す新聞印刷用ブランケット胴１０aと版胴２０ａからなる印刷胴対を二組、被印刷体Ｗを挟んで互いの新聞印刷用ブランケット胴１０ａ、１０ａが接するように配置した際の、図５での手前側半分における胴の軸に直角な断面図、図７は、図５に示す新聞印刷用ブランケット胴１０aと版胴２０ａからなる印刷胴対を二組、被印刷体Ｗを挟んで互いの新聞印刷用ブランケット胴１０ａ、１０ａが接するように配置した際の、図５での奥側半分における胴の軸に直角な断面図である。
【００３９】
この印刷胴対では、ブランケットＢを装着したときの新聞印刷用ブランケット胴１０ａが１回転したときに、刷版Ｐａを装着したときの版胴２０ａも１回転する関係にあるので、新聞印刷用ブランケット胴１０ａに設ける低位面１５は、いずれか一方のブランケット装着用溝１２ａ、１２ａ´の開口の延長線上に連続して設ける。
【００４０】
なお、本実施形態に係る新聞印刷用ブランケット胴を備えた新聞印刷用オフセット輪転印刷機には、各版胴２０ａ、２０ａに対応して、少なくともそれぞれの版胴２０ａに装着された刷版Ｐａの版面にインキを供給するインキ供給機構（図示せず）と、必要に応じて前記刷版Ｐａの版面に湿し水を供給する湿し水供給機構（図示せず）が設けられる。
【００４１】
前記新聞印刷用オフセット輪転印刷機において印刷稼働が行われると、印刷胴対が前記の位相関係で駆動回転される。この回転により、版胴２０ａに装着された刷版Ｐａの版面に押付けられて回転する図示しないインキ供給装置のインキ供給ローラーによって、前記版面にインキが供給される。また、インキ供給ローラーは、版胴２０ａが回転しインキ供給ローラーが押付けられている位置に刷版装着用溝２２ａが設けられた周面が到達するたびに、押付け圧によって、刷版Ｐａの外周面が前記刷版装着用溝２２ａに沿って形成する凹みにその一方縁から落ち込み、次いで凹みの他方縁から刷版Ｐａ面に乗上げる動作を繰り返す。そしてこの刷版Ｐａ面への乗上げの際に、インキ供給ローラーは前記凹みの他方縁に沿って陵部を形成する刷版Ｐａの折曲げ位置に衝撃的に接触し、刷版Ｐａの折曲げ位置近傍の刷版Ｐａ面上にインキＩＮを残留させる。
【００４２】
しかし、この印刷稼働の際には、本実施形態に係る新聞印刷用ブランケットを備えたオフセット輪転印刷機では、図６に示すように、図５に示す印刷胴対の手前側半分では、版胴２０ａと新聞印刷用ブランケット胴１０ａは、それぞれの周面に開口する刷版装着用溝２２ａとブランケット装着用溝１２ａの開口位置が両胴の接触位置で相対する位置関係で駆動回転され、版胴２０ａに装着される刷版Ｐａと新聞印刷用ブランケット胴１０ａに装着されるブランケットＢの厚さの相違による、両胴の前記刷版ＰｂとブランケットＢの装着後にそれぞれの開口部の周面に生じる凹部の幅寸法（軸線と直角方向の寸法）の相違から、刷版Ｐａの折曲げ位置近傍の刷版Ｐａ面上に残留するインキＩＮがブランケットＢの面に接触することがなく、このインキＩＮがブランケットＢの面を介して被印刷体Ｗの表面に印刷されることがない。
【００４３】
また、図７に示すように、図５に示す印刷胴対の奥側半分では、版胴２０ａと新聞印刷用ブランケット胴１０ａは、版胴２０ａの周面に開口する刷版装着用溝２２ａと新聞印刷用ブランケット胴１０ａの低位面１５の位置が両胴の接触位置で相対する位置関係となるので、版胴２０ａの周面に開口する刷版装着用溝２２ａに装着される刷版Ｐａの折曲げ位置近傍の刷版Ｐａ面と新聞印刷用ブランケット胴１０ａに装着されるブランケットＢの相互の押付け力が、新聞印刷用ブランケット胴１０ａに設けられた低位面１５の逃げによって緩和される。従って、刷版Ｐａの折曲げ位置近傍の刷版Ｐａ面上に残留するインキＩＮがブランケットＢの面に接触しても、このインキＩＮがブランケットＢの外周面に転移するのが抑制される。
【００４４】
また、この印刷胴対が更に回転して、新聞印刷用ブランケット胴１０ａの低位面１５の位置が被印刷体Ｗを二組の印刷胴対のそれぞれの新聞印刷用ブランケット胴１０ａで挟む位置に達した時は、他方の印刷胴対における新聞印刷用ブランケット胴１０ａの低位面１５の位置も被印刷体Ｗを二組の印刷胴対のそれぞれの新聞印刷用ブランケット胴１０ａで挟む位置に達しており、両新聞印刷用ブランケット胴１０ａ、１０ａに装着されるブランケットＢ、Ｂの相互の押付け力が、両新聞印刷用ブランケット胴１０ａ、１０ａに設けられた低位面１５、１５の逃げによって緩和される。従って、刷版Ｐａの折曲げ位置近傍の刷版Ｐａ面上から両新聞印刷用ブランケット胴１０ａの低位面１５の位置に対応するブランケットＢの外周面に僅かに転移されたインキＩＮが存在しても、このインキＩＮがブランケットＢの外周面から被印刷体Ｗの表面に印刷されることが抑制される。
【００４５】
以上のように、本実施形態に係る新聞印刷用ブランケット胴１０ａの使用により、本実施形態に係る新聞印刷用ブランケットを備えた新聞印刷用オフセット輪転印刷機では、インキ供給ローラーによって、刷版装着用溝２２ａに沿って陵部を形成する刷版Ｐａの折曲げ位置近傍の刷版Ｐａ面上に残留させたインキＩＮが、ブランケットＢの外周面を介して被印刷体Ｗの表面に印刷されるので、印刷品質の低下が抑制される、もしくは生じることがない。
【００４６】
図８、図９は、図６、図７に示した本発明に係る新聞印刷用オフセット輪転印刷機の印刷胴対とは異なる、本実施形態に係る新聞印刷用ブランケット胴を備える新聞印刷用オフセット輪転印刷機に適用可能な印刷胴対の変形例を示すもので、詳細には、図２に示すブランケットＢを装着した本実施形態に係る新聞印刷用ブランケット胴１０ａと外周の周方向長さが新聞１ページ分の長さの刷版Ｐｃを装着した版胴２０ｃからなる二組の印刷胴対を、被印刷体Ｗを挟んでブランケットＢを装着した互いの新聞印刷用ブランケット胴１０ａ、１０ａが接するように配置した際の、胴の軸に直角な断面図であり、図８は、軸方向一方側半分における胴の軸に直角な断面図、図９は、軸方向他方側半分における胴の軸に直角な断面図である。
【００４７】
この印刷胴対では、ブランケットＢを装着した新聞印刷用ブランケット胴１０ａが１回転したときに、刷版Ｐｃを装着した版胴２０ｃが２回転する関係であるので、新聞印刷用ブランケット胴１０ａに設ける低位面１５は、２つのブランケット装着用溝１２ａ、１２ａ´の開口に連続して設ける必要がある。
【００４８】
なお、本実施形態の変形例に係る新聞印刷用ブランケット胴１０ａに設ける低位面１５は、前記したように他の周面部位よりも軸線からの距離が小さく設けられるが、その差は、刷版装着用溝２２ａに沿って陵部を形成する刷版Ｐａの折曲げ位置近傍の刷版Ｐａ面上に残留するインキＩＮが、ブランケットＢの外周面に転移されるのを抑制し、また、ブランケットＢの外周面に僅かに転移したインキが被印刷体Ｗの表面に印刷されるのを抑制するに足りるだけ設ければよい。つまり、２つの印刷胴対におけるブランケットＢを装着した各新聞印刷用ブランケット胴１０ａ、１０ａの押付け力及び各印刷胴対における刷版Ｐａ（あるいはＰｃ）を装着した版胴２０ａ（あるいは２０ｃ）とブランケットＢを装着した新聞印刷用ブランケット胴１０ａの押付け力を緩和可能であり、かつ、印刷稼働中にこの低位面１５に起因する騒音や振動の発生を最小限にとどめ得れば足りることから、０．１乃至０．３ミリメートルに設けられるのが好ましい。
【００４９】
また、上記実施形態における版胴２０ａに装着する刷版Ｐａ及び版胴２０ｃに装着する刷版Ｐｃの幅寸法（装着時に胴の軸方向と平行となる側の寸法）は、胴本体２１ａの軸方向長さと同じ寸法、版胴本体の軸方向長さの二分の一の寸法又は版胴本体の軸方向長さの四分の一の寸法のいずれでもよく、版胴２０ｂに装着する刷版Ｐｂの幅寸法（装着時に胴の軸方向と平行となる側の寸法）は、胴本体２１ｂ、２１ｃの軸方向長さの二分の一又は版胴本体の軸方向長さ四分の一のいずれでもよい。そして、長さ寸法（装着時に胴に巻付け側の寸法）は、それぞれ、胴本体２１ａ、２１ｂ、２１ｃに１周回して装着可能であればよい。
【００５０】
以上、本発明の好適な実施形態について説明したが、本発明の技術的範囲は上記実施形態に記載の範囲には限定されない。上記実施形態には、多様な変更又は改良を加えることが可能である。その様な変更又は改良を加えた形態も本発明の技術的範囲に含まれ得ることが、特許請求の範囲の記載から明らかである。
【産業上の利用可能性】
【００５１】
この発明は、オフセット輪転印刷機の新聞印刷用ブランケット胴及びこの新聞印刷用ブランケット胴を備えた新聞印刷用オフセット輪転印刷機に利用可能である。
【符号の説明】
【００５２】
１０ａ…新聞印刷用ブランケット胴、
１１ａ…新聞印刷用ブランケット胴の胴本体、
１２ａ、１２ａ´…ブランケット装着用溝、
１５…低位面（他の周面部位よりも軸線からの距離が小さな面）、
１０ｂ…ブランケット胴、
１１ｂ…ブランケット胴の胴本体、
１２ｂ…ブランケット装着用溝、
２０ａ…版胴、
２１ａ…版胴の胴本体、
２２ａ…刷版装着用溝、
２０ｂ…版胴、
２１ｂ…版胴の胴本体、
２２ｂ…刷版装着用溝、
２０ｃ…版胴（外周面の周方向長さが新聞１ページ分の長さの刷版を装着するだけの長さである版胴）、
２２ｃ…刷版装着用溝、
Ｂ…ブランケット、
Ｐａ…版胴に装着された刷版、
Ｐｂ…版胴に装着された刷版、
Ｐｃ…版胴に装着された刷版、
ＩＮ…刷版面上に残留するインキ、
Ｗ…被印刷体。
【図１】
2011042044.tif 000003
【図２】
2011042044.tif 000004
【図３】
2011042044.tif 000005
【図４】
2011042044.tif 000006
【図５】
2011042044.tif 000007
【図６】
2011042044.tif 000008
【図７】
2011042044.tif 000009
【図８】
2011042044.tif 000010
【図９】
2011042044.tif 000011
【図１０】
2011042044.tif 000012
【図１１】
2011042044.tif 000013
【図１２】
2011042044.tif 000014
【図１３】
2011042044.tif 000015
【図１４】
2011042044.tif 000016
【図１５】
2011042044.tif 000017
【図１６】
2011042044.tif 000018
【図１７】
2011042044.tif 000019
【図１８】
2011042044.tif 000020
【図１９】
2011042044.tif 000021
【図２０】
2011042044.tif 000022